(57)【要約】【課題】  時計ムーブメントの機能に制約されずに、竜頭をねじの噛合いを利用して不用意に回転されないように保持できるとともに、耐久性も向上でき、竜頭のねじロック操作が軽い携帯時計を提供することにある。【解決手段】  胴１４内の時計ムーブメント１３に回転力を伝達する巻真３６に接続された竜頭３１を、胴１４に取付けたパイプ２１の雄ねじ部２４に噛合わせて、竜頭３１が回転されないように保持する携帯時計１０を前提とする。竜頭３１は、巻真３６を連動する竜頭軸３２と、前記噛合わせが外された状態で竜頭軸３２を回転させる竜頭ヘッド３３と、クラッチ手段３４とを具備する。竜頭ヘッド３３は雄ねじ部２４に着脱可能に噛合わされる雌ねじ部３８を有する。クラッチ手段３４は、前記噛合いが完了した状態では竜頭軸３２の回転を妨げるように竜頭軸３２と竜頭ヘッド３３とを連結し、前記噛合いが外された状態では竜頭軸３２を連れ回し可能とするように竜頭軸３２と竜頭ヘッド３３とを連結する。【選択図】  図２
2005127815.tif 000002
【特許請求の範囲】
【請求項１】
時計ムーブメントが内蔵された胴にこの胴の外側に位置される雄ねじ部を有したパイプを取付け、前記時計ムーブメントに回転力を伝達する巻真に接続された竜頭を、前記雄ねじ部の外周に着脱可能に噛合わせ、この噛合いにより前記竜頭を回転されないように保持する携帯時計であって、
前記竜頭が、
前記巻真を連動する竜頭軸と、
前記雄ねじ部に着脱可能に噛合わされる雌ねじ部を有し、前記噛合いが外された状態で前記竜頭軸を回転させる竜頭ヘッドと、
前記噛合いが完了した状態では前記竜頭軸の回転を妨げるように前記竜頭軸と竜頭ヘッドとを連結し、前記噛合いが外された状態ではこの竜頭軸を連れ回し可能とするように前記竜頭軸と竜頭ヘッドとを連結するクラッチ手段と、
を具備したことを特徴とする携帯時計。
【請求項２】
前記クラッチ手段が、
多角形状又は歯車形状をなして前記竜頭軸の外周に前記竜頭ヘッドの軸方向移動寸法分隔てて前記竜頭軸の軸方向に並設された第１、第２の従動部と、
これら従動部と同形状の嵌合孔を有して前記竜頭ヘッドに設けられ、竜頭ヘッドの軸方向移動に伴って前記第１、第２の従動部に着脱可能に嵌合される原動部と、
を有していることを特徴とする請求項１に記載の携帯時計。
【請求項３】
前記第１、第２の従動部間の軸部分が、前記嵌合孔に内接する太さに作られていることを特徴とする請求項２に記載の携帯時計。
【請求項４】
前記原動部が前記竜頭ヘッドの内周に固定されたリングで作られていることを特徴とする請求項２又は３に記載の携帯時計。
【請求項５】
前記原動部が前記竜頭ヘッドに一体に設けられていることを特徴とする請求項２又は３に記載の携帯時計。
【請求項６】
前記雄ねじ部と前記雌ねじ部との噛合いが外された状態での前記竜頭ヘッドの軸方向移動に伴い前記雌ねじ部の端が接離する受け部が、前記クラッチ手段よりも前記胴の外側面に寄せて前記竜頭軸の外周に設けられていることを特徴とする請求項２から５の内のいずれか１項に記載の携帯時計。
【請求項７】
前記受け部と前記原動部とが前記軸方向に対向するように配置されていて、これらの間に前記竜頭ヘッドを前記胴の外側面から離れる方向に付勢する弾性体が挟設されていることを特徴とする請求項６に記載の携帯時計。
【発明の詳細な説明】
【技術分野】
【０００１】
本発明は、ねじの噛合いを利用して竜頭が不用意に回転されないように保持する携帯時計に関する。
【背景技術】
【０００２】
従来、胴に内蔵された時計ムーブメントを操作する竜頭は、単一部品であって、時計ムーブメントを連動する竜頭軸部と、この軸部に一体に形成された竜頭ヘッドとを有している。竜頭軸部は胴に取付けられた巻真パイプに挿入されており、竜頭ヘッドは巻真パイプの胴外部に位置するパイプ端部に被嵌されている。
【０００３】
この竜頭が不用意に回転されないようにするために、巻真パイプの胴外部に位置するパイプ端部の外周に雄ねじ部を形成するとともに、竜頭ヘッドに雌ねじ部を形成して、この雌ねじ部をパイプ端部の雄ねじ部に着脱可能に噛合わせる携帯時計が知られている（特許文献１参照。）。
【０００４】
この携帯時計で、時計ムーブメントを操作しない通常の状態では、竜頭をパイプの雄ねじ部に噛合わせて、竜頭ヘッドを胴の外側面に当接させることにより、竜頭の不用意な回転を抑制できる。このように竜頭が回転しないように保持させる操作を、以下ねじロック操作と称し、かつ、保持された状態を、以下ねじロック状態と称する。又、時計ムーブメントを操作する時には、雄ねじ部に対する竜頭の噛合いを外して竜頭を引き動かした状態としてから、時計ムーブメントに接続されている巻真を、竜頭とともに回転させることができる。
【特許文献１】特開昭５７−４６１８１号公報（第１頁右欄第８行〜第２頁左欄第７行、第１図−第２図）
【発明の開示】
【発明が解決しようとする課題】
【０００５】
ところで、巻真によって操作される時計ムーブメントが、ぜんまいばねを駆動源とする機械式である携帯時計では、竜頭が引出されない位置に配置されている状態で、この竜頭の回転操作によってぜんまいばねが巻き上げられるように作られている。又、巻真によって操作される時計ムーブメントが、複数の動作モードを有している携帯時計では、竜頭が引出されない位置に配置されている状態で、この竜頭の回転操作によって、動作モードが切換えられるように作られている。
【０００６】
なお、竜頭が引出されない位置に配置されている状態は、一般には「零段」と通称されている。これに対して、カレンダー調整等のために竜頭が引出された位置は「１段」と通称されている。場合によっては、時刻合わせのための位置である「２段」の引出し位置に更に竜頭を引出し得る携帯時計も知られている。
【０００７】
「零段」に配置された竜頭で、ぜんまいばねを巻き上げる機能を有した携帯時計、及び動作モードを変更させる機能を有した携帯時計に、特許文献１の技術を適用することは、以下の点で好ましくない。
【０００８】
すなわち、特許文献１の携帯時計では、竜頭軸部と竜頭ヘッドとが一体である。このため、竜頭を巻真パイプの雄ねじ部に噛合わせるねじロック操作においては、竜頭軸部も回転されるので、この竜頭軸部に接続されている巻真も竜頭と一緒に回転される。
【０００９】
これにより、ぜんまいばねを巻き上げる機能を有した携帯時計への適用では、竜頭を巻真パイプの雄ねじ部に噛合わせるに伴ってぜんまいばねが巻き上げられてしまう。ぜんまいまねの巻上げ操作は、手動巻き又は自動巻きのいずれかでなされるが、胴内のぜんまいばねがどのような巻き上げ状態にあるのかは知ることができない。このため、ぜんまいばねがかなり巻き上がっている状態で、竜頭に対するねじロック操作が行われることがある。この場合、ねじロック操作が特に重くなり不便であるとともに、それに伴い過度の操作力が雄ねじ部と雌ねじ部に加わって、これらのねじ部の摩耗が早められる。
【００１０】
又、動作モードを変更させる機能を有した携帯時計への適用では、竜頭に対するねじロック操作に伴って動作モードが勝手に変更されてしまう。このため、この種の携帯時計に対しては、ねじの噛合いを利用して竜頭が不用意に回転されないようにした技術の適用はできなかった。
【００１１】
本発明が解決しようとする課題は、時計ムーブメントの機能に制約されずに、竜頭をねじの噛合いを利用して不用意に回転されないように保持できるとともに、耐久性も向上でき、竜頭のねじロック操作が軽い携帯時計を提供することにある。
【課題を解決するための手段】
【００１２】
前記課題を解決するために、本発明は、ねじの噛合いを利用して竜頭が不用意に回転されないように保持する携帯時計において、竜頭が、巻真を連動する竜頭軸と、胴に取付けられたパイプの雄ねじ部に着脱可能に噛合わされる雌ねじ部を有し、この噛合いが外された状態で竜頭軸を回転させる竜頭ヘッドと、前記噛合いが完了した状態では前記竜頭軸の回転を妨げるように前記竜頭軸と竜頭ヘッドとを連結し、前記噛合いが外された状態ではこの竜頭軸を連れ回し可能とするように前記竜頭軸と竜頭ヘッドとを連結するクラッチ手段と、を具備している。
【００１３】
本発明では、パイプの雄ねじ部に対する竜頭ヘッドの雌ねじ部の噛合いを外すことにより、竜頭ヘッドの拘束が解除されて、この竜頭ヘッドが回転可能となるとともに、軸方向に関する竜頭ヘッドと竜頭軸との相対位置が変わって、竜頭ヘッドと竜頭軸とがクラッチ手段で連結される。このため、この連結状態下での竜頭ヘッドの回転操作が、クラッチ手段を介して竜頭軸に伝えられる。これにより、巻真が回転されるに伴い胴内の時計ムーブメントを操作できる。この操作後に、竜頭ヘッドを胴の外側面に寄るように軸方向移動させてパイプの雄ねじ部に竜頭ヘッドの雌ねじ部を噛合わせることにより、クラッチ手段での前記連結が解除されてから、竜頭ヘッドが胴の外側面に当たってねじロック状態になる。こうしてパイプに対する竜頭ヘッドの噛合いが完了される直前に、竜頭ヘッドと竜頭軸とがクラッチ手段で再び連結されるので、この再連結直後に前記噛合いが完了した時点では、竜頭軸の回転がねじロック状態に保持された竜頭ヘッドによって妨げられる。この場合、ねじロック状態を得るねじロック操作では、前記噛合いが完了される直前まで竜頭ヘッドと竜頭軸とは連結されていないので、ねじロック操作に伴って竜頭軸が回転して、時計ムーブメントに回転が伝えられることを抑制できる。
【００１４】
又、本発明の好ましい形態では、前記クラッチ手段が、多角形状又は歯車形状をなして前記竜頭軸の外周に前記竜頭ヘッドの軸方向移動寸法分隔てて前記竜頭軸の軸方向に並設された第１、第２の従動部と、これら従動部と同形状の嵌合孔を有して前記竜頭ヘッドに設けられ、竜頭ヘッドの軸方向移動に伴って前記第１、第２の従動部に着脱可能に嵌合される原動部と、を有しているので、クラッチ手段の構成が簡単である点で優れている。
【００１５】
又、本発明の好ましい形態では、前記第１、第２の従動部間の軸部分が、前記嵌合孔に内接する太さに作られているので、竜頭ヘッドを軸方向に移動させる際に、原動部が第１、第２の従動部間の軸部分に案内され、竜頭ヘッドが傾く等の姿勢変動を抑制しつつ容易に竜頭ヘッドを軸方向に移動させ得る点で優れている。
【００１６】
又、本発明の好ましい形態では、前記原動部が前記竜頭ヘッドの内周に固定されたリングで作られているので、竜頭ヘッドの視認可能な端面に現れるリング状の接合跡が、手間を掛けて竜頭ヘッドを加工したとの印象を与えるのに寄与できて外観的に好ましい点で優れている。
【００１７】
又、本発明の好ましい形態では、前記原動部が前記竜頭ヘッドに一体に設けられているので、竜頭ヘッドの内面に対する原動部の取付け不良に基づく竜頭軸と竜頭ヘッドとの連結不良がなく、長期の使用にわたりクラッチ手段の機能を確実に維持できる点で好ましい。
【００１８】
又、本発明の好ましい形態では、前記雄ねじ部と前記雌ねじ部との噛合いが外された状態での前記竜頭ヘッドの軸方向移動に伴い前記雌ねじ部の端が接離する受け部が、前記クラッチ手段よりも前記胴の外側面に寄せて前記竜頭軸の外周に設けられているので、雌ねじ部の端を受け部に引掛けて、竜頭ヘッドを竜頭軸の軸方向に関して位置決めできる。
【００１９】
又、本発明の好ましい形態では、前記受け部と前記原動部とが前記軸方向に対向するように配置されていて、これらの間に前記竜頭ヘッドを前記胴の外側面から離れる方向に付勢する弾性体が挟設されているので、前記雄ねじ部と前記雌ねじ部との噛合いが外されると同時に弾性体の付勢力によって、雌ねじ部の端が受け部に引掛けるように竜頭ヘッドをその軸方向に移動させるとともに、前記引っ掛りにより原動部を第２の従動部に対して位置決めして、竜頭軸が回転可能となるように竜頭軸と竜頭ヘッドとを連結できる点で優れている。
【発明の効果】
【００２０】
本発明によれば、ねじロック操作に伴って竜頭軸が回転して、時計ムーブメントに回転が伝えられることを抑制できる。このため、竜頭のねじロック操作を軽く行えるとともに、パイプの雄ねじ部及び竜頭ヘッドの雌ねじ部の耐久性を向上でき、しかも、時計ムーブメントの機能、例えばぜんまいばねを巻き上げる機能や動作モードを変更させる機能等に制約されずに、竜頭をねじの噛合いを利用して不用意に回転されないように保持させることが可能な携帯時計を提供できる。
【発明を実施するための最良の形態】
【００２１】
（第１実施形態）
図１〜図５を参照して本発明の第１実施形態を説明する。
【００２２】
図１中符号１０は携帯時計としての腕時計を示している。この腕時計１０は時計外装組立１１内に図２及び図３に示すように文字板１２及び図示しない時計ムーブメント１３等を収容している。時計ムーブメント１３には、ぜんまいを動力源にした手動巻き型、又は自動巻き型、若しくはこれら手動巻きと自動巻きとを併用した型の機械式の時計ムーブメントが用いられている。なお、これに代えて、文字板１２上での時刻表示等をデジタル表示とアナログ表示とを選択して切換えることができる型の時計ムーブメントであってもよい。
【００２３】
図２及び図３に示すように時計外装組立１１は、環状をなす金属製の胴１４の厚み方向一面からなる正面に、カバーガラス１５を液密に装着するとともに、胴１４の厚み方向他面からなる裏面に、金属等からなる裏蓋１６を液密に螺着して形成されている。カバーガラス１５を通して文字板１２は視認可能である。裏蓋１６は取外し可能である。
【００２４】
図２及び図３に示すように胴１４の一部には、この胴１４を径方向に貫通するパイプ取付け孔１７が開けられている。パイプ取付け孔１７の一端は、胴１４で囲まれた胴内空間１４ａに開口され、パイプ取付け孔１７の他端は、胴１４の外側面１４ｂに開口されている。
【００２５】
胴１４には、胴外側からパイプ取付け孔１７に挿入してパイプ２１がろう付け等により取付けられている。図２及び図３中符号２２はろう材を示している。金属製、例えばステンレス鋼製のパイプ２１は、円筒状でその軸方向両端が夫々開放しているとともに、胴１４の外部に配置されるパイプ端部２１ａを備え、このパイプ端部２１ａの外周に竜頭３１をねじロック状態に保持するための雄ねじ部２４を有している。
【００２６】
竜頭３１は、竜頭軸３２と、竜頭ヘッド３３と、クラッチ手段３４と、弾性体例えばコイルばね３５とを備えている。
【００２７】
竜頭軸３２は、例えば金属製好ましくはステンレス製であって、図２及び図３に示すようにパイプ２１内に胴１４の外部から挿入される円柱状の挿入軸部３２ａと、この軸部３２ａと一体に連続してパイプ２１の外部に配置される軸端部３２ｂと、これら挿入軸部３２ａと軸端部３２ｂとの境界をなして設けられた受け部３２ｃとを有している。受け部３２ｃはクラッチ手段３４よりも胴１４の外側面１４ｂに寄って設けられている。
【００２８】
挿入軸部３２ａの先端部には、時計ムーブメント１３に竜頭３１の回転力を伝達する巻真３６が胴内側からねじ込んで連結されている。これにより互いに連結された巻真３６と竜頭軸３２とは軸方向には動くことができない。挿入軸部３２ａの先端部外周に形成された環状凹部にはゴム等の弾性材料からなる環状の防水パッキン３７が装着されている。このパッキン３７は前記環状凹部及びパイプ２１の内周に弾性的に密接しており、これにより、パイプ２１の内周と竜頭軸３２との間が防水されている。
【００２９】
軸端部３２ｂは挿入軸部３２ａより大径である。受け部３２ｃは環状の鍔をなして設けられている。この受け部３２ｃは軸端部３２ｂ及び雄ねじ部２４の外径より大きい。
【００３０】
竜頭ヘッド３３は、例えば金属製好ましくはステンレス製であって、図２及び図３に示すように円筒状であって、その外周に回転操作のすべり止めのための溝を有している。更に、竜頭ヘッド３３の一端面３３ａは、胴１４の外側面１４ｂに接離する面となっている。この一端面３３ａ寄りの内周には、ねじロック状態を得るために雄ねじ部２４に取外し可能に噛合わされる雌ねじ部３８が形成されている。雌ねじ部３８の径は受け部３２ｃの径より小さく、この雌ねじ部３８の端３８ａ（図２参照）は受け部３２ｃに接離可能である。
【００３１】
クラッチ手段３４は、雄ねじ部２４と雌ねじ部３８との噛合いが完了した状態で竜頭軸３２の回転を妨げるように竜頭軸３２と竜頭ヘッド３３とを連結（この連結を第１の連結状態と以下称する。）し、かつ、前記噛合いが外された状態では、竜頭ヘッド３３に対して竜頭軸３２を連れ回り可能とするように竜頭軸３２と竜頭ヘッド３３とを連結（この連結を第２の連結状態と以下称する。）し、前記２つの状態以外の状態では前記連結を解除するようになっている。このために、クラッチ手段３４は例えば第１従動部４１と、第２従動部４２と、原動部４３とを有している。
【００３２】
詳しくは、図２〜図５に示すように第１、第２の従動部４１、４２は、多角形例えば正五角形をなして軸端部３２ｂの外周に突出されている。第１、第２の従動部４１、４２を正五角形を超える正多角形とすることは、第１の従動部４１又は第２の従動部４２と原動部４３とが嵌合した状態での竜頭ヘッド３３の回転に対する竜頭軸３２の連動を極力減らすために、好ましい。これら第１、第２の従動部４１、４２は竜頭軸３２の軸方向に所定間隔を空けて設けられている。これら第１、第２の従動部４１、４２は、その各部が、竜頭軸３２の周方向に位置がずれることなく、竜頭軸３２の軸方向に対向して設けられている。前記所定間隔は竜頭ヘッド３３の軸方向移動寸法に等しい。第１、第２の従動部４１、４２の各辺は、これら第１、第２の従動部４１、４２間に位置する軸端部３２ｂの外周面に対する接線をなして延びている。
【００３３】
原動部４３は、第１、第２の従動部４１、４２に選択的に係脱するものであって、第１、第２の従動部４１、４２と同形状、したがって本実施形態の場合には図４に例示するように正五角形の嵌合孔４３ａを有して、竜頭ヘッド３３に設けられている。この原動部４３は、嵌合孔４３ａを有した金属例えばステンレス製のリングで作られていて、竜頭ヘッド３３の雌ねじ部３８が設けられた一端とは反対側の他端の内周に、例えばかしめ止めにより固定されている。このかしめ止めにより竜頭ヘッド３３の端面には視認可能なリング状の接合跡４３ｂが現れている。このような原動部４３の固定により、手間を掛けて竜頭ヘッド３３を加工したとの印象を与えるのに寄与できて外観的に好ましい。
【００３４】
前記軸端部３２ｂの第１、第２の従動部４１、４２間の軸部分３２ｂｃは、原動部４３が有する嵌合孔４３ａの各辺に内接する太さに作られている。これにより、竜頭ヘッド３３を軸方向に移動させる際に、原動部４３が軸部分３２ｂｃに案内されるので、竜頭ヘッド３３が傾く等の姿勢変動を抑制しつつ竜頭ヘッド３３を軸方向に容易にかつ円滑に移動させることができる。したがって、第１、第２の従動部４１、４２に対する原動部４３の嵌合孔４３ａの係脱操作が容易である。
【００３５】
コイルばね３５は、竜頭軸３２の軸方向に相対向した受け部３２ｃと原動部４３との間に挟まれていて、竜頭ヘッド３３を胴１４の外側面１４ｂから離れる方向に常に付勢して設けられている。
【００３６】
以上の構成を備えた腕時計１０において、竜頭３１が引出されない位置に配置されている状態（一般に「零段」と通称されている。）は、図２に示されている。この「零段」では、竜頭ヘッド３３の雌ねじ部３８がパイプ２１の雄ねじ部２４に噛合わされて、竜頭ヘッド３３の一端面３３ａが胴１４の外側面１４ｂに接して位置決めされているとともに、クラッチ手段３４の原動部４３の嵌合孔４３ａが第１の従動部４１の外周に嵌合されている（この嵌合状態を図５に示す。）。
【００３７】
このため、原動部４３と竜頭軸３２の受け部３２ｃとの間にコイルばね３５が強く圧縮された状態にあって、竜頭ヘッド３３が胴１４から離れる方向に付勢されているにも拘らず、前記噛合いによって竜頭ヘッド３３が軸方向に動かされることがない。これとともに、クラッチ手段３４が第１の連結状態にあって、原動部４３の嵌合孔４３ａと第１の従動部４１とが嵌合されていることより、竜頭軸３２が竜頭ヘッド３３に対して回り止めされている。このように「零段」では竜頭３１がねじロック状態にある。このねじロック状態では、図１及び図２に示すように竜頭軸３２の軸端部３２ｂの一部が竜頭ヘッド３３より突出している。このため、使用者は、竜頭ヘッド３３の端面に対する竜頭軸３２の軸端部３２ｂの位置関係により、竜頭３１が不用意に回転されないように保持されたねじロック状態にあることを視認可能である。
【００３８】
時計ムーブメント１３の時刻合わせをする場合、ねじロック状態にある竜頭３１は、「１段」と通称される位置に引出されて回転操作される。すなわち、まず、竜頭ヘッド３３を緩み方向に回転させて、その雌ねじ部３８をパイプ２１の雄ねじ部２４から外した状態とする。この場合、緩み方向への竜頭ヘッド３３の回転の初期段階では、原動部４３と第１の従動部４１とが嵌合されているので、竜頭軸３２が竜頭ヘッド３３に連動して回転される。しかし、竜頭ヘッド３３はその緩み方向の回転に伴い胴１４の外側面１４ｂから次第に離れる方向に軸方向移動するので、前記初期段階において原動部４３と第１の従動部４１との嵌合が速やかに外される。このため、緩み方向に回転される竜頭ヘッド３３に対する竜頭軸３２の連動に応じて時計ムーブメント１３に回転力が伝えられることは、実質的には無視できる。
【００３９】
以上のようにして原動部４３と第１の従動部４１との嵌合が外されることによって、クラッチ手段３４による竜頭軸３２と竜頭ヘッド３３との第１の連結状態が解除される。これと同時に、コイルばね３５のばね力（付勢力）で、竜頭ヘッド３３が、竜頭軸３２の軸方向に沿って手動操作によることなく簡便に移動される。この軸方向移動に伴って竜頭軸３２が回転されることはない。
【００４０】
この竜頭ヘッド３３の軸方向移動に伴い、クラッチ手段３４が第２の連結状態となって竜頭軸３２と竜頭ヘッド３３とを連結する。つまり、原動部４３の嵌合孔４３ａが第２の従動部４２の外周に嵌合される。この第２の連結状態が作られると同時に、雌ねじ部３８の端３８ａが竜頭軸３２の受け部３２ｃに当たって、竜頭ヘッド３３の軸方向移動が規制される。この規制による位置決めで、ねじロック状態が解除された竜頭３１が、図３に示すように「１段」と通称される引出し位置に保持される。コイルばね３５のばね力によって、次に説明する時刻合わせ操作の途中で竜頭３１から手を離しても、第２の連結状態が維持される点で好ましい。
【００４１】
この引出し位置で竜頭３１を手動により回転させることができる。つまり、原動部４３の嵌合孔４３ａが第２の従動部４２の外周に嵌合された第２の連結状態では、竜頭ヘッド３３の回転がクラッチ手段３４を介して竜頭軸３２に伝えられる。これに伴い巻真３６を介して時計ムーブメント１３に回転力が与えられるので、この時計ムーブメント１３の時刻合わせ等の調整を行うことができる。
【００４２】
この調整後には竜頭３１が再びロック状態（図２参照）とされる。このねじロック状態を得る操作は、まず、竜頭ヘッド３３をコイルばね３５に抗して胴１４方向に押し戻した後に、この竜頭ヘッド３３の雌ねじ部３８を締め付け方向に回転させてパイプ２１の雄ねじ部２４にねじ込むことで実施される。これにより、竜頭ヘッド３３の一端面３３ａが胴１４の外側面１４ｂに当接するとともに、この当接の直前にクラッチ手段３４が前記第１の連結状態となるので、腕時計１０の携帯時等に竜頭３１が不用意に回転されないように竜頭３１をねじロック状態とすることができる。
【００４３】
このねじロック状態を得る操作において、竜頭ヘッド３３の回転初期にクラッチ手段３４は、竜頭ヘッド３３と竜頭軸３２との第２の連結状態が解除される。又、雄ねじ部２４への雌ねじ部３８の噛合わせ完了の直前に、クラッチ手段３４は竜頭ヘッド３３と竜頭軸３２とを連結する第１の連結状態となる。そして、竜頭ヘッド３３が締め付け方向に回転操作される殆どの期間、つまり、第２の連結状態が解除された時点から第１の連結状態となるまでの間は、竜頭軸３２に伝えられることがない。
【００４４】
ところで、雄ねじ部２４への雌ねじ部３８の噛合わせが完了する直前の段階では、クラッチ手段３４が第１の連結状態となるので、締め付け方向に回転される竜頭ヘッド３３に対して竜頭軸３２は連れ回るようになる。しかし、この連れ回りの開始時点から竜頭ヘッド３３の一端面３３ａが胴１４の外側面１４ｂに当接して前記噛合わせ合わせが完了するまでに要する竜頭ヘッド３３の回転量は僅かである。このため、締め付け方向に回転される竜頭ヘッド３３に対する竜頭軸３２の連動は、実質的に無視できる程度である。
【００４５】
したがって、ねじロック状態を得るための既述のねじロック操作に伴って、竜頭軸３２が回転して、機械式の時計ムーブメント１３に回転が伝えられることを抑制できる。これにより、ねじロック操作において、時計ムーブメント１３が有するぜんまいばねが負荷となることが抑制される。したがって、例えばぜんまいばねがかなり巻き上がっている状態であっても、竜頭３１のねじロック操作を軽く行うことができ、操作性が良い。なお、時計ムーブメント１３が、機械式ではなく、「零段」位置に配置された竜頭３１で動作モードを変更させる機能を有したものである場合には、既述のように時計ムーブメントに対して竜頭３１のねじロック操作に伴う回転力が波及することが抑制されるので、動作モードが不用意に変更されることがない。
【００４６】
又、既述のようにぜんまいばねを有する機械式の時計ムーブメント１３でのねじロック操作を軽く行えることに伴い、過度の回転操作力が雄ねじ部２４と雌ねじ部３８に加えられることもなくなるので、これらのねじ部２４、３８の耐久性を向上することができる。
【００４７】
（第２実施形態）
竜頭３１のねじロック状態を示す図６、及び竜頭３１のねじロック状態が解除された状態を示す図７を参照して本発明の第２実施形態を説明する。この第２実施形態は、基本的には第１実施形態と同じであるので、第１実施形態と同じ部分については第１実施形態と同一符号を付してその説明を省略し、以下、第１実施形態とは異なる部分について説明する。
【００４８】
第２実施形態では、竜頭ヘッド３３とは別体とした雌ねじ部３８が、竜頭ヘッド３３の軸方向一端部内周にかしめによって固定されている。更に、クラッチ手段３４の原動部４３は竜頭ヘッド３３の軸方向他端部内周に一体に形成されている。以上説明した点以外は、図６及び図７に示されない構成を含めて第１実施形態と同じである。
【００４９】
したがって、この第２実施形態の腕時計１０でも、第１実施形態と同じ作用を得て本発明が解決しようとする課題を解決できる。しかも、原動部４３を竜頭ヘッド３３に一体に設けたので、竜頭ヘッド３３に対する原動部４３の取付け不良がない。このため、前記取付け不良に基づく竜頭軸３２と竜頭ヘッド３３との連結不良がなく、長期の使用にわたりクラッチ手段３４の機能を確実に維持できるとともに、かしめ跡を見せないようにできる。
【００５０】
本発明は前記両実施形態には制約されない。例えば、竜頭ヘッド３３は、ねじロック状態にある時に、軸端部３２ｂの全外周を略被う長さとすることができる。この構成では、竜頭ヘッド３３の端面と竜頭軸３２の軸端部３２ｂとの相互位置関係で、竜頭３１の状態が、ねじロック状態であるのか、ねじロックが解除された状態であるのかということを知ることができるという機能を維持しつつ、ねじロック状態において第２従動部４２を操作して竜頭軸３２が不用意に回される恐れをなくすことができる。
【００５１】
本発明では、竜頭３１のコイルばね３５を省略してもよい。この場合には、竜頭ヘッド３３をねじロック状態とする際に、コイルばね３５の抵抗を受けなくて済む。これにより、軽い操作で胴１４の外側面１４ｂに向けて竜頭ヘッド３３を軸方向に移動させることができる。
【００５２】
前記両実施形態ではクラッチ手段３４の第１、第２の従動部４１、４２は正多角形の凸部で形成するとともに、原動部４３は正多角形の嵌合孔を有する構成としたが、これに代えて、本発明では、第１、第２の従動部４１、４２を外歯歯車で形成し、原動部４３を内歯歯車で形成することもできる。
【図面の簡単な説明】
【００５３】
【図１】本発明の第１実施形態に係る腕時計を示す正面図。
【図２】図１中Ｚ−Ｚ線に沿って竜頭のねじロック状態を示す断面図。
【図３】図１中Ｚ−Ｚ線に沿って竜頭のねじロック状態が解除された状態を示す断面図。
【図４】図１中の携帯時計が備えるクラッチ手段を分解して示す斜視図。
【図５】図４のクラッチ手段を第１の連結状態で示す斜視図。
【図６】本発明の第２実施形態に係る腕時計を竜頭のねじロック状態で示す断面図。
【図７】本発明の第２実施形態に係る腕時計を竜頭のねじロック状態が解除された状態で示す断面図。
【符号の説明】
【００５４】
１０…腕時計（携帯時計）
１１…時計外装組立
１３…時計ムーブメント
１４…胴
１４ａ…胴内空間
１４ｂ…胴の外側面
２１…パイプ
２１ａ…パイプ端部
２４…雄ねじ部
３１…竜頭
３２…竜頭軸
３２ｃ…竜頭軸の受け部
３２ｂｃ…竜頭軸の軸部分
３３…竜頭ヘッド
３３ａ…竜頭ヘッドの一端面
３４…クラッチ手段
３５…コイルばね（弾性体）
３６…巻真
３８…雌ねじ部
４１…第１の従動部
４２…第２の従動部
４３…原動部
４３ａ…原動部の嵌合孔
【図１】
2005127815.tif 000003
【図２】
2005127815.tif 000004
【図３】
2005127815.tif 000005
【図４】
2005127815.tif 000006
【図５】
2005127815.tif 000007
【図６】
2005127815.tif 000008
【図７】
2005127815.tif 000009